(57)【要約】【課題】シート周辺に設けられる装備を有効活用して、エアダクト等を別個に設けることを不要とし得、空間的な制約の改善につながる建設機械の空調装置を提供する。【解決手段】シートに着座したオペレータのための拘束手段として建設機械の運転室に装備されたセーフティバー３を、冷暖房用空気或いは送風用空気が導入口４から導入されて吹出口から吹き出されるエアダクトとする。【選択図】図２
2008044547.tif 000002
【特許請求の範囲】
【請求項１】
シートに着座したオペレータのための拘束手段を、冷暖房用空気或いは送風用空気が導入口から導入されて吹出口から吹き出されるエアダクトとしたことを特徴とする建設機械の空調装置。
【請求項２】
前記拘束手段を、シートに着座したオペレータの左右位置に下端部が前方へ向け張り出すようＬ字状に屈曲形成された管状支持部と、シートに着座したオペレータの腹部前方に配設されるよう前記左右の管状支持部の先端間に掛け渡される管状保護部とを有する中空のセーフティバーとし、該セーフティバーの管状支持部の上端部をシートの左右方向へ延びる水平軸を中心として回動自在となるようシート両脇のベースに枢着することにより、前記セーフティバーの管状保護部が上方へ跳ね上げられる拘束解除位置と、前記セーフティバーの管状保護部がシートに着座したオペレータの腹部前方に配設される拘束位置との間で切換可能となるよう構成し、
前記セーフティバーの管状支持部の上端部に導入口を設けると共に、前記セーフティバーの管状保護部に吹出口を設けた請求項１記載の建設機械の空調装置。
【請求項３】
前記吹出口を、拘束位置に配置されたセーフティバーの管状保護部の前面側と後面側とに開口せしめ、該前面側の吹出口と後面側の吹出口のいずれか一方を開放し他方を閉塞可能な吹出口選択切換手段を設けた請求項２記載の建設機械の空調装置。
【請求項４】
前記吹出口選択切換手段を、セーフティバーの管状保護部の前面側と後面側とに開口せしめた吹出口の部分を覆うよう管状保護部の外周面に沿って回動自在に嵌装される筒体に、前記前面側の吹出口と後面側の吹出口のいずれか一方を開放可能なスリットを形成することにより構成した請求項３記載の建設機械の空調装置。
【発明の詳細な説明】
【技術分野】
【０００１】
本発明は、建設機械の空調装置に関するものである。
【背景技術】
【０００２】
一般に、油圧ショベル等の建設機械においては、夏の炎天下や冬の極めて寒い状況のもとで作業を行うことが多いため、オペレータが搭乗する運転室に冷暖房用空気や送風用空気を供給する空調装置を搭載することは、オペレータの過酷な作業環境を改善する上で特に重要となっており、更に、前記空調装置から供給される除湿された冷暖房用空気を運転室のフロントガラスの曇り取り等として用いるために、運転室のシートの側方に位置する壁や運転室のドア等に、専用の吹出口が形成されたエアダクト等を取り付けることも必要となっている。
【０００３】
尚、前述の如き建設機械の空調装置に関連して、運転室のシートに着座したオペレータの足元や胴回り等に空調流を効率良く吹き出せるようにしたものとしては、例えば、特許文献１がある。
【特許文献１】特開平１１−９１３３９号公報
【発明の開示】
【発明が解決しようとする課題】
【０００４】
しかしながら、従来の建設機械の空調装置のように、運転室のシートの側方に位置する壁や運転室のドア等に、専用の吹出口が形成されたエアダクト等を取り付けるのでは、スペース的にあまり余裕のないシート周辺の空間が更に狭くなってしまうという欠点を有していた。
【０００５】
本発明は、斯かる実情に鑑み、シート周辺に設けられる装備を有効活用して、エアダクト等を別個に設けることを不要とし得、空間的な制約の改善につながる建設機械の空調装置を提供しようとするものである。
【課題を解決するための手段】
【０００６】
本発明は、シートに着座したオペレータのための拘束手段を、冷暖房用空気或いは送風用空気が導入口から導入されて吹出口から吹き出されるエアダクトとしたことを特徴とする建設機械の空調装置にかかるものである。
【０００７】
上記手段によれば、以下のような作用が得られる。
【０００８】
前述の如く構成すると、従来の建設機械の空調装置のように、運転室のシートの側方に位置する壁や運転室のドア等に、専用の吹出口が形成されたエアダクト等を取り付けなくて済み、スペース的にあまり余裕のないシート周辺の空間を有効に活用することが可能となる。
【０００９】
前記建設機械の空調装置においては、前記拘束手段を、シートに着座したオペレータの左右位置に下端部が前方へ向け張り出すようＬ字状に屈曲形成された管状支持部と、シートに着座したオペレータの腹部前方に配設されるよう前記左右の管状支持部の先端間に掛け渡される管状保護部とを有する中空のセーフティバーとし、該セーフティバーの管状支持部の上端部をシートの左右方向へ延びる水平軸を中心として回動自在となるようシート両脇のベースに枢着することにより、前記セーフティバーの管状保護部が上方へ跳ね上げられる拘束解除位置と、前記セーフティバーの管状保護部がシートに着座したオペレータの腹部前方に配設される拘束位置との間で切換可能となるよう構成し、
前記セーフティバーの管状支持部の上端部に導入口を設けると共に、前記セーフティバーの管状保護部に吹出口を設けることができる。
【００１０】
この場合、前記吹出口を、拘束位置に配置されたセーフティバーの管状保護部の前面側と後面側とに開口せしめ、該前面側の吹出口と後面側の吹出口のいずれか一方を開放し他方を閉塞可能な吹出口選択切換手段を設けることが有効であり、このようにすると、拘束位置に配置されたセーフティバーの管状保護部の前面側の吹出口を吹出口選択切換手段により開放して、除湿された冷暖房用空気を運転室のフロントガラスへ向けて吹き出させるようにすれば、該フロントガラスの曇りを取ることが可能となる一方、前記拘束位置に配置されたセーフティバーの管状保護部の後面側の吹出口を吹出口選択切換手段により開放して、冷暖房用空気或いは送風用空気をオペレータへ向けて吹き出させるようにすれば、該オペレータは季節に応じて涼をとったり暖をとることができ、作業時の快適性を高めることが可能となる。
【００１１】
前記吹出口選択切換手段は、セーフティバーの管状保護部の前面側と後面側とに開口せしめた吹出口の部分を覆うよう管状保護部の外周面に沿って回動自在に嵌装される筒体に、前記前面側の吹出口と後面側の吹出口のいずれか一方を開放可能なスリットを形成することにより構成することができる。
【発明の効果】
【００１２】
本発明の請求項１、２に記載の建設機械の空調装置によれば、シート周辺に設けられる装備を有効活用して、エアダクト等を別個に設けることを不要とし得、空間的な制約の改善につながるという優れた効果を奏し得る。
【００１３】
又、本発明の請求項３、４に記載の建設機械の空調装置によれば、上記効果に加え更に、必要に応じて冷暖房用空気等をフロントガラスの曇り取り用或いはオペレータ用に切り換えて吹き出させることができ、作業時の視認性を確保し得、且つ作業環境の向上を図り得るという優れた効果を奏し得る。
【発明を実施するための最良の形態】
【００１４】
以下、本発明の実施の形態を添付図面を参照して説明する。
【００１５】
図１〜図６は本発明を実施する形態の一例であって、一般に、自動車等の車両に用いられる乗員の拘束手段としてはシートベルトが広く知られているが、建設機械においては、図１（ａ），（ｂ）に示す如く、その運転室１に、シート２に着座したオペレータのための拘束手段としてセーフティバー３が装備されているため、該セーフティバー３を、冷暖房用空気或いは送風用空気が導入口４（図２、図３、図４参照）から導入されて吹出口５（図４、図５、図６参照）から吹き出されるエアダクトとしたものである。
【００１６】
本図示例の場合、前記セーフティバー３は、シート２に着座したオペレータの左右位置に下端部が前方へ向け張り出すようＬ字状に屈曲形成された管状支持部３ａと、シート２に着座したオペレータの腹部前方に配設されるよう前記左右の管状支持部３ａの先端間に掛け渡される管状保護部３ｂとを有する中空の部材とし、該セーフティバー３の管状支持部３ａの上端部をシート２の左右方向へ延びる水平軸３ｃを中心として回動自在となるようシート２両脇のベース６に枢着することにより、前記セーフティバー３の管状保護部３ｂが上方へ跳ね上げられる拘束解除位置（図１（ａ）参照）と、前記セーフティバー３の管状保護部３ｂがシート２に着座したオペレータの腹部前方に配設される拘束位置（図１（ｂ）参照）との間で切換可能となるよう構成してあり、前記セーフティバー３の管状支持部３ａの上端部に導入口４を設けると共に、前記セーフティバー３の管状保護部３ｂに吹出口５を設けるようにしてある。
【００１７】
又、前記吹出口５は、図４（ａ），（ｂ）に示す如く、拘束位置に配置されたセーフティバー３の管状保護部３ｂの前面側と後面側とに開口せしめ、該前面側の吹出口５と後面側の吹出口５のいずれか一方を開放し他方を閉塞可能な吹出口選択切換手段７を設けるようにしてある。
【００１８】
前記吹出口選択切換手段７は、図５及び図６（ａ），（ｂ）に示す如く、セーフティバー３の管状保護部３ｂの前面側と後面側とに開口せしめた吹出口５の部分を覆うよう管状保護部３ｂの外周面に沿って回動自在に嵌装される筒体７ａに、前記前面側の吹出口５と後面側の吹出口５のいずれか一方を開放可能なスリット７ｂを形成することにより構成してある。
【００１９】
尚、前記導入口４には、図２及び図３に示す如く、伸縮自在なフレキシブルホース８を介して空調装置から延びる空気配管９を接続し、前記セーフティバー３を拘束解除位置と拘束位置との間で回動させた際に、前記フレキシブルホース８が伸縮することにより対応できるようにしてある。
【００２０】
又、前記セーフティバー３の管状支持部３ａの先端部から管状保護部３ｂにかけての部分は、ウレタンフォーム等の部材で形成された緩衝カバー１０で覆うと共に、前記吹出口選択切換手段７の筒体７ａも前記緩衝カバー１０と同様のウレタンフォーム等の部材で形成し、仮にこれらの部分にオペレータがぶつかったとしてもその際の衝撃が吸収されるようにしてある。
【００２１】
次に、上記図示例の作用を説明する。
【００２２】
前述の如く構成すると、従来の建設機械の空調装置のように、運転室１のシート２の側方に位置する壁や運転室１のドア等に、専用の吹出口５が形成されたエアダクト等を取り付けなくて済み、スペース的にあまり余裕のないシート２周辺の空間を有効に活用することが可能となる。
【００２３】
そして、拘束位置に配置されたセーフティバー３の管状保護部３ｂに嵌装された吹出口選択切換手段７の筒体７ａを回動させ、前記セーフティバー３の管状保護部３ｂの前面側の吹出口５を吹出口選択切換手段７の筒体７ａのスリット７ｂにより開放して、除湿された冷暖房用空気を運転室１のフロントガラス（図示せず）へ向けて吹き出させるようにすれば、該フロントガラスの曇りを取ることが可能となる。
【００２４】
一方、前記吹出口選択切換手段７の筒体７ａを回動させ、前記拘束位置に配置されたセーフティバー３の管状保護部３ｂの後面側の吹出口５を吹出口選択切換手段７の筒体７ａのスリット７ｂにより開放して、冷暖房用空気或いは送風用空気をオペレータへ向けて吹き出させるようにすれば、該オペレータは季節に応じて涼をとったり暖をとることができ、作業時の快適性を高めることが可能となる。
【００２５】
尚、オペレータの乗降等のために、前記セーフティバー３を拘束位置から跳ね上げるように拘束解除位置へ回動させたり、逆に前記セーフティバー３を拘束解除位置から引き下げるように拘束位置へ回動させる際には、その動きと連動して、導入口４に接続されたフレキシブルホース８が伸縮することにより対応できるようになっているが、ベース６に対して枢着される水平軸３ｃの部分に前記導入口４を設定して、該導入口４とした水平軸３ｃの部分に対してその回動を阻害せずに気密性を保持しつつ、空調装置からの冷暖房用空気や送風用空気が導入されるようにすれば、フレキシブルホース８を設けずに前記セーフティバー３の回動に対応することも可能となる。
【００２６】
又、前記吹出口５は、図示した位置以外の箇所に設けるようにしても良い。
【００２７】
こうして、シート２周辺に設けられる装備を有効活用して、エアダクト等を別個に設けることを不要とし得、空間的な制約の改善につながると共に、必要に応じて冷暖房用空気等をフロントガラスの曇り取り用或いはオペレータ用に切り換えて吹き出させることができ、作業時の視認性を確保し得、且つ作業環境の向上を図り得る。
【００２８】
尚、本発明の建設機械の空調装置は、上述の図示例にのみ限定されるものではなく、運転室が閉空間とならずにシートと屋根のみが存在するような仕様の建設機械にも適用可能なこと等、その他、本発明の要旨を逸脱しない範囲内において種々変更を加え得ることは勿論である。
【図面の簡単な説明】
【００２９】
【図１】本発明を実施する形態の一例におけるセーフティバーが設けられた運転室を示す正面図であって、（ａ）はセーフティバーを拘束解除位置に配置した状態を示す図、（ｂ）はセーフティバーを拘束位置に配置した状態を示す図である。
【図２】本発明を実施する形態の一例におけるセーフティバーを示す斜視図である。
【図３】本発明を実施する形態の一例におけるセーフティバーの導入口に接続されたフレキシブルホースを示す斜視図である。
【図４】本発明を実施する形態の一例におけるセーフティバーから吹出口選択切換手段の筒体を取り外した状態を示す斜視図であって、（ａ）は斜め前方からセーフティバーを見た図、（ｂ）はシートに着座したオペレータからセーフティバーを見た図である。
【図５】本発明を実施する形態の一例におけるセーフティバーに嵌装された吹出口選択切換手段の筒体を示す正面図である。
【図６】本発明を実施する形態の一例における吹出口選択切換手段の筒体を示す図であって、（ａ）は単体としての斜視図、（ｂ）はセーフティバーに嵌装された状態を示す断面図である。
【符号の説明】
【００３０】
１    運転室
２    シート
３    セーフティバー（拘束手段）
３ａ  管状支持部
３ｂ  管状保護部
３ｃ  水平軸
４    導入口
５    吹出口
６    ベース
７    吹出口選択切換手段
７ａ  筒体
７ｂ  スリット
８    フレキシブルホース
９    空気配管
１０    緩衝カバー
【図１】
2008044547.tif 000003
【図２】
2008044547.tif 000004
【図３】
2008044547.tif 000005
【図４】
2008044547.tif 000006
【図５】
2008044547.tif 000007
【図６】
2008044547.tif 000008